(57)【特許請求の範囲】
【請求項１】
非磁性体のボウル本体と、前記ボウル本体に内蔵されるボウル磁石とを有して、上方に開口する開口部が設けられたボウルと、
非磁性体の蓋本体と、前記蓋本体に内蔵される蓋磁石とを有して、前記ボウルに上下方向にスライド自在に嵌合して前記開口部を塞ぐ蓋と、
非磁性体の内本体と、前記内本体に内蔵される内磁石とを有して、前記ボウルと前記蓋で画定する内部空間に前記ボウルおよび／または前記蓋に吸引された状態で収容される内食器と、を備え、
前記ボウル本体は、円環状の第２凹部が設けられ、
前記内食器は、前記第２凹部に挿入した状態で回動可能な第２凸部が設けられたコップを有することを特徴とする食器セット。
【請求項２】
前記ボウル、前記蓋、および前記内食器は、前記ボウル磁石、前記蓋磁石、および前記内磁石の極性を識別するための目印が付されていることを特徴とする請求項１に記載の食器セット。
【請求項３】
前記蓋は、円環状の第１凹部が設けられ、
前記ボウルは、前記食器セットを重ねたとき、前記第１凹部に挿入した状態で回動可能な第１凸部が設けられることを特徴とする請求項１または２に記載の食器セット。
【請求項４】
前記蓋は、円環状の第３凹部が設けられ、
前記内食器は、前記第３凹部に挿入した状態で回動可能な第３凸部が設けられたプレートを有することを特徴とする請求項１〜３のいずれか１項に記載の食器セット。
【請求項５】
前記蓋は、円環状の第１凹部が設けられ、
前記ボウルは、前記食器セットを重ねたとき、前記第１凹部に挿入した状態で回動可能な第１凸部が設けられ、
前記蓋は、円環状の第３凹部が設けられ、
前記内食器は、前記第３凹部に挿入した状態で回動可能な第３凸部が設けられたプレートを有し、
前記プレートは、前記第１凸部が挿入可能な円環状の第１環状溝が設けられ、
前記蓋は、前記第２凸部を挿入した状態で回動可能な第２環状溝が設けられることを特徴とする請求項１または２に記載の食器セット。
【請求項６】
磁性体のカトラリー類が内部空間に収容されることを特徴とする請求項１〜５のいずれか１項に記載の食器セット。
【発明の詳細な説明】
【技術分野】
【０００１】
本発明は、磁石が内蔵された食器を有する食器セットに関する。
【背景技術】
【０００２】
東日本大震災は、未曽有の大規模災害となり多くの人々が長期間の避難生活を余儀なくされた。道路の寸断により輸送経路が断たれ、避難所では生活に必要な物資の不足が慢性的に続いた。
【０００３】
このような状況下、食事に使用する食器として、収納が容易で軽量な紙製の皿、ボウル、コップ等が用いられた。しかし紙製の食器は、強度が弱く多くの料理を入れられない、テーブルに置いておくと風で飛ばされてしまう等の問題があり、必ずしも使い勝手の良いものではなかった。
【０００４】
また、耐久性に劣り数回の使用、場合によっては１回限りの使用で廃棄しなければならず、大量のごみが発生することとなる。
【０００５】
紙製の食器に替えて、陶器やガラス製の食器、プラスチック製の食器などの再使用できる食器の使用も考えられる。しかし、陶器やガラス製の食器は、重くて収納や持ち運びが不便であり、余震によって割れてしまう危険もあることから災害現場での使用には向かない。プラスチック製の食器は、軽量で耐久性もあるが、皿、ボウル、コップ等の数種類の食器を数多くの人々に支給するのは多大な労力を要する。また、熱伝導率が高く熱い料理を食器の中に入れて持ち運ぶのには不向きである。
【０００６】
すなわち、災害用の食器としては、繰り返し使えること、軽量であること、割れにくいことはもちろんであるが、収納しやすいこと、手に持ちやすいこと、支給が容易であること等が求められる。アウトドア用の食器についても同様である。
【先行技術文献】
【特許文献】
【０００７】
【特許文献１】実用新案登録第３１８９５２５号公報
【発明の概要】
【発明が解決しようとする課題】
【０００８】
本発明の目的は、災害現場やアウトドアで使用する場合、コンパクトに収納できて、料理の持ち運びが簡単で、さらに複数個を積層できる食器セットを提供することである。
【課題を解決するための手段】
【０００９】
上記課題を解決するために、請求項１に係る発明は、食器セットであって、非磁性体のボウル本体と、ボウル本体に内蔵されるボウル磁石とを有して、上方に開口する開口部が設けられたボウルと、非磁性体の蓋本体と、蓋本体に内蔵される蓋磁石とを有して、ボウルに上下方向にスライド自在に嵌合して開口部を塞ぐ蓋と、非磁性体の内本体と、内本体に内蔵される内磁石とを有して、ボウルと蓋で画定する内部空間にボウルおよび／または蓋に吸引された状態で収容される内食器とを備え、ボウル本体は、円環状の第２凹部が設けられ、内食器は、第２凹部に挿入した状態で回動可 能な第２凸部が設けられたコップを有することを特徴とする。
【００１０】
この構成によれば、内食器はボウルと蓋で画定する内部空間にボウルおよび／または蓋に吸引された状態で収容されるので、内食器を安定して内部空間に収容できる。また、この構成によれば、食器セットを積層したときボウル本体に内蔵されるボウル磁石と、蓋本体に内蔵される蓋磁石が互いに吸引しあうことで、積層状態が安定する。さらに、食器セットのみを支給することで、食事に必要な様々な食器を一度に得ることができる。
また、この構成によれば、コップを内部空間に収容するとき、ボウルに設けられた第２凹部にコップに設けられた第２凸部が挿入されることで、ボウルとコップは横ずれすることなく吸引状態を保てる。また、回動することで容易に吸引状態を解くことができる。
【００１１】
請求項２に係る発明は、請求項１に記載の食器セットにおいて、ボウル、蓋、および内食器は、ボウル磁石、蓋磁石、および内磁石の極性を識別するための目印が付されていることを特徴とする。
【００１２】
この構成によれば、ボウル、蓋、および内食器は、ボウル磁石、蓋磁石、および内磁石の極性を識別するための目印が付されているので、異なる目印同士を合わせることで、それぞれを容易に吸引できる。
【００１３】
請求項３に係る発明は、請求項１または２に記載の食器セットにおいて、蓋は、円環状の第１凹部が設けられ、ボウルは、食器セットを重ねたとき、第１凹部に挿入した状態で回動可能な第１凸部が設けられることを特徴とする。
【００１４】
この構成によれば、異なる目印同士を合わせた状態で、第１凸部を第１凹部に挿入することで、食器セット同士は横ずれすることなく安定して積層できる。また、第１凹部に沿って回動することで食器セット同士は磁石の作用によって反発する。これにより簡単に食器セット同士の吸引を解くことができる。
【００１７】
請求項４に係る発明は、請求項１〜３のいずれか１項に記載の食器セットにおいて、蓋は、円環状の第３凹部が設けられ、内食器は、第３凹部に挿入した状態で回動可能な第３凸部が設けられたプレートを有することを特徴とする。
【００１８】
この構成によれば、プレートを内部空間に収容するとき、蓋に設けられた第３凹部に、プレートに設けられた第３凸部が挿入されることで、蓋とプレートは横ずれすることなく吸引状態を保てる。また、回動することで容易に吸引状態を解くことができる。
【００１９】
請求項５に係る発明は、請求項１または２に記載の食器セットにおいて、蓋は、円環状の第１凹部が設けられ、ボウルは、食器セットを重ねたとき、第１凹部に挿入した状態で回動可能な第１凸部が設けられ、蓋は、円環 状の第３凹部が設けられ、内食器は、第３凹部に挿入した状態で回動可能な第３凸部が設けられたプレートを有し、プレートは、第１凸部が挿入可能な円環状の第１環状溝が設けられ、蓋は、第２凸部を挿入した状態で回動可能な第２環状溝が設けられることを特徴とする。
【００２０】
この構成によれば、第１凸部を第１環状溝に挿入することで、プレートとボウルは磁石で吸引され、かつ横ずれを防止できる。すなわち、持ち運びが容易な１つの食器として利用でき、同様に、コップと蓋を吸引したものももう一つの食器として利用できる。例えば、ボウルにスープ等の熱い料理を入れたとき、プレートを把持することで、手に熱い料理の熱を感じることなく容易に持ち運べる。また、コップに飲み物を入れ、コップの周囲の部分に主菜、副菜を盛り付けて蓋を把持して容易に持ち運べる。このように、プレートと、蓋を両手で同時に把持することで、多種多様な料理を一度に容易に持ち運べる。
【００２１】
請求項６に係る発明は、請求項１〜５のいずれか１項に記載の食器セットにおいて、磁性体のカトラリー類が内部空間に収容されることを特徴とする。
【００２２】
この構成によれば、カトラリー類は磁性体であるので、吸引した状態で内部空間に安定して収容できる。また、フォーク、スプーン類を別途そろえることなく料理を食することができる。
【図面の簡単な説明】
【００２３】
【図１】食器セットの断面斜視図である。
【図２】ボウルの平面図である。
【図３】蓋の平面図である。
【図４】コップの平面図である。
【図５】プレートの平面図である。
【図６】食器セット同士を積層した状態を説明する斜視図である。
【図７】（ａ）は、ボウルとプレートを吸引した状態を説明する斜視図であり、（ｂ）は、蓋とコップを吸引した状態を説明する斜視図である。
【発明を実施するための形態】
【００２４】
本発明の実施形態について、図１〜５を参照して説明する。
【００２５】
図１に示す通り、食器セット１は、ボウル１０、蓋２０、内食器５０、およびフォーク・スプーンセット６０（カトラリー類。以後フォークセット６０という。）を有している。蓋２０は、ボウル１０に設けられた開口部１０ａを塞いでいる。また、ボウル１０と蓋２０は、上下方向にスライド自在に嵌合した状態で、内部空間１００ａを画定している。内食器５０、およびフォークセット６０は、内部空間１００ａに収容されている。
【００２６】
図１、２に示す通り、ボウル１０は、上方に開口する開口部１０ａが設けられたすり鉢状の容器であり、非磁性体のボウル本体１５、およびボウル磁石７１を有する。ボウル本体１５は、円盤状の底部１１、および底部１１の外縁から上方に向かって口径が拡大して延びる円筒形状の側部１２を有する。
【００２７】
底部１１は、外周部から外側に向かって突設する円環状の第１凸部１ａ、内側から外側に向かって窪む円環状の第２凹部２ｂが設けられている。また、第２凹部２ｂに取り囲まれた状態でボウル磁石７１が内蔵されている。ボウル磁石７１は、径方向にＮ極Ｎ１、Ｓ極Ｓ１の磁極を有する円盤状の磁石である。なお、円盤状の底部１１、円環状の第２凹部２ｂ、および円盤状のボウル磁石７１の円の中心は一致している。すなわち、それぞれは同心円上に位置している。
【００２８】
側部１２の上端部に、上下方向に延びる４つの縦溝１６が等間隔に設けられている。縦溝１６は、後述する蓋２０に設けられた突起部２６に嵌合する。
【００２９】
側部１２の内面に目印１０ｎ、目印１０ｓが、外面に目印１１０ｎ、目印１１０ｓが付されている。目印１０ｎ、１０ｓは、Ｎ極Ｎ１およびＳ極Ｓ１を結ぶ延長線上に位置し、目印１０ｎはＮ極Ｎ１側の延長線上に、目印１０ｓは、Ｓ極Ｓ１側の延長線上に付されている。目印１１０ｎ、１１０ｓについても同様である。
【００３０】
図１、３に示す通り、蓋２０は盆状の容器であり、非磁性体の蓋本体２５、および蓋磁石７２を有する。蓋本体２５は、円盤状の底部２１、および円盤状の底部２１の外縁から垂直に延びる円筒形の側部２２を有する。
【００３１】
底部２１に、内側から外側に向かって窪む円環状の第３凹部３ｂが設けられ、第３凹部３ｂの内部領域側に外側から内側に向かって窪む円環状の第１凹部１ｂが設けられ、さらに、第１凹部１ｂの内部領域側に内側から外側に向かって窪む第２環状溝２００ｂが設けられている。また、第２環状溝２００ｂの内部領域に蓋磁石７２が内蔵されている。蓋磁石７２は、径方向にＮ極Ｎ２、Ｓ極Ｓ２を有する円盤状の磁石である。なお、円盤状の底部２１、円環状の第３凹部３ｂ、円環状の第１凹部１ｂ、および円盤状の蓋磁石７２の円の中心は一致している。すなわち、それぞれは同心円上に位置している。
【００３２】
円筒形の側部２２は、端部に外側から内側に向かって突出する４つの突起部２６が等間隔に設けられている。突起部２６を縦溝１６に挿入し、上から下に押し込むことでボウル１０と、蓋２０はスライド自在に嵌合する。
【００３３】
底部２１の内面に目印２０ｎ、目印２０ｓが、外面に目印１２０ｎ、目印１２０ｓが付されている。目印２０ｎ、２０ｓは、Ｎ極Ｎ２およびＳ極Ｓ２を結ぶ延長線上に位置し、目印２０ｎはＮ極Ｎ２側の延長線上に、目印２０ｓは、Ｓ極Ｓ２側の延長線上に付されている。目印１２０ｎ、目印１２０ｓについては、目印２０ｎ、目印２０ｓに対応する位置の外面に付されている。
【００３４】
内食器５０は、コップ３０、およびプレート４０を有する。コップ３０はボウル１０に、プレート４０は蓋２０に吸引された状態で、内部空間１００ａに収容されている。
【００３５】
図１、４に示す通り、コップ３０は、有底の円筒形の容器であり、非磁性体のコップ本体３５、および内磁石７３を有する。コップ本体３５は、円盤状の底部３１、および底部３１の外縁から垂直に延びる円筒形状の側部３２を有する。底部３１は、底部３１の外縁から側部３２の延びる方向と反対方向に突出する円環状の第２凸部２ａを有する。また、内磁石７３が内蔵されている。内磁石７３は、径方向にＮ極Ｎ３、Ｓ極Ｓ３を有する円盤状の磁石である。なお、円盤状の底部３１、円環状の第２凸部２ａ、および円盤状の内磁石７３の円の中心は一致している。すなわち、それぞれは同心円上に位置している。
【００３６】
側部３２の外面に目印１３０ｎ、目印１３０ｓが付されている。目印１３０ｎ、１３０ｓは、Ｎ極Ｎ３およびＳ極Ｓ３を結ぶ延長線上に位置し、目印１３０ｎはＮ極Ｎ３側の延長線上に、目印１３０ｓは、Ｓ極Ｓ３側の延長線上に付されている。
【００３７】
図１、５に示す通り、プレート４０は、盆状の容器であり、非磁性体のプレート本体４５、および内磁石７４を有する。プレート本体４５は円盤状の底部４１、および円盤状の底部４１の外縁から垂直に延びる円筒形の側部４２を有する。
【００３８】
底部４１に、内側から外側に向かって突出する第３凸部３ａが設けられ、第３凸部３ａの内部領域側に内側から外側に向かって窪む円環状の第１環状溝１００ｂが設けられている。また、第１環状溝１００ｂの内部領域に内磁石７４が内蔵されている。内磁石７４は、径方向にＮ極Ｎ４、Ｓ極Ｓ４を有する円盤状の磁石である。なお、円盤状の底部４１、および円環状の第１環状溝１００ｂ、円盤状の内磁石７４の円の中心は一致している。すなわち、それぞれは同心円上に位置している。
【００３９】
底部４１の内面に目印４０ｎ、目印４０ｓが付されている。目印４０ｎ、目印４０ｓは、Ｎ極Ｎ４およびＳ極Ｓ４を結ぶ延長線上に位置し、目印４０ｎはＮ極Ｎ４側の延長線上に、目印４０ｓは、Ｓ極Ｓ４側の延長線上に付されている。
【００４０】
ボウル本体１５、蓋本体２５、コップ本体３５、およびプレート本体４５は、割れにくく軽量で耐熱性能に優れた素材であることが好ましい。具体的には、ポリエチレン、ポリプロピレン、メラミン樹脂、ポリカーボネイト等のプラスチック材であることが好ましい。
【００４１】
磁性体であるフォークセット６０は、一端がボウル磁石７１および内磁石７３、他端が蓋磁石７２および内磁石７４に吸引された状態で、コップ３０の内部に収容されている。
【００４２】
内食器５０の収容手順について説明する。
【００４３】
フォークセット６０を、コップ３０の内部に収容する。フォークセット６０は、内磁石７３に吸引された状態となり、コップ３０の内部に緩く固定される。
【００４４】
コップ３０の外面に付された目印１３０ｎをボウル１０の内面に付された目印１０ｓの側に、また目印１３０ｓを目印１０ｎの側に合わせる。平面視で、目印１３０ｎと目印１３０ｓを結ぶ直線が、目印１０ｓと目印１０ｎを結ぶ直線とほぼ一致することを目視して確認する。その後、第２凹部２ｂに第２凸部２ａを挿入する。このような手順を踏むことで磁石同士が反発することなく内磁石７３とボウル磁石７１を簡単に吸引できる。これにより、ボウル１０とコップ３０は磁石同士の吸引により接続した状態となる。
【００４５】
プレート４０の内面に付された目印４０ｎを蓋２０の内面に付された目印２０ｓの側に、また目印４０ｓを目印２０ｎの側に合わせる。平面視で、目印４０ｎと目印４０ｓを結ぶ直線が、目印２０ｓと目印２０ｎを結ぶ直線とほぼ一致することを目視して確認する。その後、第３凹部３ｂに第３凸部３ａを挿入する。このような手順を踏むことで磁石同士が反発することなく内磁石７４と蓋磁石７２を簡単に吸引できる。これにより、蓋２０とプレート４０は磁石同士の吸引により接続した状態となる。
【００４６】
ボウル１０に設けられた縦溝１６に、蓋２０に設けられた突起部２６を挿入して押し込むことで蓋２０は縦溝１６の方向に沿って移動して、ボウル１０と蓋２０は嵌合状態となる。このとき、ボウル１０の外面に付された目印１１０ｓと蓋２０の外面に付された目印１２０ｓを結ぶ線が、側面視で垂直になるようにすることが好ましい。これにより、磁石の極性を同一方向に揃えることができる。
【００４７】
食器セット１同士の積層について図６を参照して説明する。
【００４８】
上段の食器セット１の目印１２０ｎ、目印１１０ｎと下段の食器セット１の目印１２０ｓ、１１０ｓが側面視でほぼ直線になることを目視で確認する。その後、下段の食器セット１の蓋２０に設けられた第１凹部１ｂに、上段の食器セット１のボウル１０に設けられた第１凸部１ａを挿入する。このような手順を踏むことで磁石同士が反発することなく上段の食器セット１と下段の食器セット１を、簡単に吸引できる。また、第１凹部１ｂと第１凸部１ａはかみ合った状態となっているので、食器セット１同士の側方の変位は拘束される。
【００４９】
食器セット１同士を回動することで、磁石は反発し接続状態を解くことができる。
【００５０】
食器セット１の使用態様について図７（ａ）、（ｂ）を参照して説明する。
【００５１】
ボウル１０の外面に付された目印１１０ｎ、目印１１０ｓと、プレート４０の内面に付された目印４０ｎ、４０ｓを前述と同じ手順で合わせて、プレート４０に設けられた第１環状溝１００ｂに、ボウル１０に設けられた第１凸部１ａを挿入する。これによりボウル１０とプレート４０は一体となり、図７（ａ）に示す通り１つの食器として機能する（以後この２つを組み合わせた食器を第１食器と呼ぶ。）。
【００５２】
コップ３０の外面に付された目印１３０ｎ、目印１３０ｓと、蓋２０の内面に付された目印２０ｎ、２０ｓを前述と同じ手順で合わせて、蓋２０に設けられた第２環状溝２００ｂに、コップ３０に設けられた第２凸部２ａを挿入する。これによりコップ３０と蓋２０は一体となりもう１つの食器として機能する（以後この２つを組み合わせた食器を第２食器と呼ぶ。）。
【００５３】
第１食器はボウル１０にスープ等の熱い料理を入れたとき、プレート４０の端部を把持することで、手に熱い料理の熱を感じることなく容易に持ち運べる。第２食器は、コップ３０に飲み物を入れ、コップ３０の周囲の部分に主菜と副菜を盛り付けて蓋２０を把持して容易に持ち運べる。また、第１食器を一方の手で、第２食器を他方の手で同時に持ち運ぶことで、多種多様な料理を両手で一度に持ち運べる。さらに磁性体の薄い平板（例えば鋼板）を第１食器、および第２食器の下敷きとして用いることでテーブルに安定的に置くことができ、磁石の吸引力で食器自体が強風で飛ばされることもない。
【００５４】
なお、本発明は、上述した実施形態に限定されず、本発明の技術的思想を逸脱しない範囲で、様々な改変、置換等を行うことができる。例えば、内食器は、コップとプレートの２種類としたがこれよりも少なくても多くてもよい。また、吸引はボウル、蓋のいずれか一方でもよい。
【産業上の利用可能性】
【００５５】
本発明に係る食器セットは積層、収納が簡単である。また、万一の災害に備え積層した状態で備蓄することで、被災地に迅速に輸送できるので産業上の利用可能性は大である。
【符号の説明】
【００５６】
１：  食器セット
１０：  ボウル
１５：  ボウル本体
２０：  蓋
２５：  蓋本体
３０：  コップ
３５：  コップ本体（内本体）
４０：  プレート
４５：  プレート本体（内本体）
５０：  内食器
６０：  フォークセット（カトラリー類）
７１：  ボウル磁石
７２：  蓋磁石
７３：  内磁石
７４：  内磁石
１０ａ：  開口部
１００ａ：  内部空間
１ａ：  第１凸部
１ｂ：  第１凹部
２ａ：  第２凸部
２ｂ：  第２凹部
３ａ：  第３凸部
３ｂ：  第３凹部
１００ｂ：  第１環状溝
２００ｂ：  第２環状溝
１０ｎ、１０ｓ：  目印
１１０ｎ、１１０ｓ：  目印
２０ｎ、２０ｓ：  目印
１２０ｓ、１２０ｎ：  目印
１３０ｎ、１３０ｓ：  目印
４０ｎ、４０ｓ：  目印
【要約】      （修正有）【課題】災害現場やアウトドアで使用する場合、コンパクトに収納できて、料理の持ち運びが簡単で、さらに複数個を積層できる食器セットを提供すること。【解決手段】食器セット１は、磁石が内蔵されたボウル１０、蓋２０、コップ３０、プレート４０、および磁性体のフォークセット６０を有している。蓋２０は、ボウル１０に設けられた開口部１０ａを塞いでいる。また、ボウル１０と蓋２０は、上下方向にスライド自在に嵌合した状態で、内部空間１００ａを画定している。コップ３０、プレート４０、およびフォーク・スプーンセット６０は、磁石で吸引された状態で内部空間１００ａに収容されている。磁石の吸引によって食器セット１同士を安定して積層できる。また、食器同士を吸引して新たな食器として利用できる。【選択図】図１【図１】
0006792885.tif 000002
【図２】
0006792885.tif 000003
【図３】
0006792885.tif 000004
【図４】
0006792885.tif 000005
【図５】
0006792885.tif 000006
【図６】
0006792885.tif 000007
【図７】
0006792885.tif 000008